(57)【要約】【課題】受信文書の処理をより簡単に行えるようにしたファクシミリ装置およびファクシミリ装置の制御方法を提供することを目的としている。【解決手段】伝送手順信号に含まれる指示情報を抽出し、その指示情報に対応して、受信ボックスに設定される付加情報を取り出し、その取り出した付加情報に対応したサービス機能を、受信情報に対して適用するので、送信側のユーザが、受信文書の処理の方法を、複数の態様を組み合わせて任意に指定することができるので、使い勝手のよいファクシミリ通信が可能となるという効果を得る。【選択図】        図２
2004179885.tif 000002
【特許請求の範囲】
【請求項１】
画像蓄積手段に設定された受信ボックスを用いて、所定のサービス機能を実現するファクシミリ装置において、
上記受信ボックスには、指定可能な１つ以上のサービス機能を指定するための付加情報が設定され、
所定の伝送手順信号により、上記受信ボックスが指定された場合には、その伝送手順信号に含まれる指示情報を抽出し、その指示情報に対応して、上記受信ボックスに設定される付加情報を取り出し、その取り出した付加情報に対応したサービス機能を、受信情報に対して適用することを特徴とするファクシミリ装置。
【請求項２】
前記指示情報は、前記伝送手順信号に複数含まれることを特徴とする請求項１記載のファクシミリ装置。
【請求項３】
前記伝送手順信号は、ＳＩＤ信号であることを特徴とする請求項１記載のファクシミリ装置。
【請求項４】
画像蓄積手段に設定された受信ボックスを用いて、所定のサービス機能を実現するファクシミリ装置の制御方法において、
上記受信ボックスには、指定可能な１つ以上のサービス機能を指定するための付加情報が設定され、
所定の伝送手順信号により、上記受信ボックスが指定された場合には、その伝送手順信号に含まれる指示情報を抽出し、その指示情報に対応して、上記受信ボックスに設定される付加情報を取り出し、その取り出した付加情報に対応したサービス機能を、受信情報に対して適用するようにしたことを特徴とするファクシミリ装置の制御方法。
【発明の詳細な説明】
【０００１】
【発明の属する技術分野】
本発明は、画像蓄積手段に設定された受信ボックスを用いて、所定のサービス機能を実現するファクシミリ装置、および、画像蓄積手段に設定された受信ボックスを用いて、所定のサービス機能を実現するファクシミリ装置の制御方法に関する。
【０００２】
【従来の技術】
従来、ファクシミリ装置では、受信ボックスという概念を導入し、受信ボックス単位に受信文書の処理を行えるようにしたものが実用されている。（特許文献１参照）。
【０００３】
このような受信ボックスを利用するものとしては、例えば、受信文書を「親展」扱いで処理する（いわゆる「親展ボックス」）、自動的に転送処理する（いわゆる「転送ボックス」）などがある。
【０００４】
【特許文献１】
特開平６−２９１９０２号公報
【０００５】
【発明が解決しようとする課題】
ところで、受信文書を記録出力する際の機能としては、「スムージング機能オン／オフ」、「ソータ使用」、「両面印刷オン／オフ」などが考えられる。例えば、誤差拡散方式を適用して二値化した写真画像等を記録出力する際には、スムージング機能をオフすることで、より良好な受信原稿を得ることができる。また、ソータを使用することで、受信原稿を適切に仕分けることができる。また、両面印刷機能を適用することで、受信用紙の枚数を半減することができる。
【０００６】
このような受信文書の処理について、受信ボックスを適用して指定することを考えた場合、従来では、受信処理ごとに受信ボックスを定義する必要があったため、送信側での指定が煩雑になったり、受信側で開設する受信ボックスの数が非常に多くなり、管理に手間取るなどの不具合を生じていた。
【０００７】
本発明は、かかる実情に鑑みてなされたものであり、受信文書の処理をより簡単に行えるようにしたファクシミリ装置およびファクシミリ装置の制御方法を提供することを目的としている。
【０００８】
【課題を解決するための手段】
本発明は、画像蓄積手段に設定された受信ボックスを用いて、所定のサービス機能を実現するファクシミリ装置において、上記受信ボックスには、指定可能な１つ以上のサービス機能を指定するための付加情報が設定され、所定の伝送手順信号により、上記受信ボックスが指定された場合には、その伝送手順信号に含まれる指示情報を抽出し、その指示情報に対応して、上記受信ボックスに設定される付加情報を取り出し、その取り出した付加情報に対応したサービス機能を、受信情報に対して適用するようにしたものである。
【０００９】
また、前記指示情報は、前記伝送手順信号に複数含まれるものである。また、前記伝送手順信号は、ＳＩＤ信号である。
【００１０】
また、画像蓄積手段に設定された受信ボックスを用いて、所定のサービス機能を実現するファクシミリ装置の制御方法において、上記受信ボックスには、指定可能な１つ以上のサービス機能を指定するための付加情報が設定され、所定の伝送手順信号により、上記受信ボックスが指定された場合には、その伝送手順信号に含まれる指示情報を抽出し、その指示情報に対応して、上記受信ボックスに設定される付加情報を取り出し、その取り出した付加情報に対応したサービス機能を、受信情報に対して適用するようにした、ものである。
【００１１】
【発明の実施の形態】
以下、添付図面を参照しながら、本発明の実施の形態を詳細に説明する。
【００１２】
図１は、本発明の一実施例にかかるグループ３ファクシミリ装置を示している。
【００１３】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１４】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００１５】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１６】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１７】
網制御装置１１は、このグループ３ファクシミリ装置をアナログ公衆網ＰＳＴＮに接続するためのものであり、自動発着信機能を備えている。
【００１８】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００１９】
また、網制御装置１１とグループ３ファクシミリモデム１０との間のデータのやりとりは、直接行なわれている。
【００２０】
また、本実施例では、画像蓄積装置９に受信ボックスを設定しており、それぞれの受信ボックスの処理に関して、図２（ａ）に示すようなボックス管理テーブルを設けて管理するようにしている。
【００２１】
ボックス管理テーブルは、複数のボックス管理情報を有し、それぞれのボックス管理情報は、同図（ｂ）に示したように、それぞれのボックスを指定するための識別情報であるボックス番号、認証用のパスワードとして用いられるセキュリティ番号、当該受信ボックスに適用されるアプリケーション（サービス機能）を指定するためのボックスアプリケーション、および、当該受信ボックスについて付加サービス機能を登録したＳＩＤアプリケーションからなる。
【００２２】
このボックス管理情報の具体例を同図（ｃ），（ｄ），（ｅ），（ｆ）に示す。
【００２３】
同図（ｃ）のボックス管理情報＃１では、ボックス番号は「なし（指定しない）」、セキュリティ番号は「なし（認証しない）」、ボックスアプリケーションは「なし（指定しない）」、ＳＩＤアプリケーションは「＊０１：スムージングオフ、＊０２：書込濃度薄く、＊０３：ＴＳＩ印字オン」が設定されている。
【００２４】
また、同図（ｄ）のボックス管理情報＃２では、ボックス番号は「１２３４」、セキュリティ番号は「なし（認証しない）」、ボックスアプリケーションは「親展」、ＳＩＤアプリケーションは「＊６４：スムージングオフ、＊３３：書込濃度薄く、＊３４：ＴＳＩ印字オン」が設定されている。
【００２５】
また、同図（ｅ）のボックス管理情報＃３では、ボックス番号は「２３４５」、セキュリティ番号は「９８７６」、ボックスアプリケーションは「親展」、ＳＩＤアプリケーションは「＊１２３４：スムージングオフ」が設定されている。
【００２６】
また、同図（ｆ）のボックス管理情報＃４では、ボックス番号は「３４５６」、セキュリティ番号は「なし（認証しない）」、ボックスアプリケーションは「ソータ１へ出力」、ＳＩＤアプリケーションは「＊７２３：スムージングオフ、＊４４４：ＴＳＩ印字オン」が設定されている。
【００２７】
また、本実施例では、信号ＳＩＤのパラメータの書式としては、「パラメータ１＃パラメータ２・・・」というように、区切り符号「＃」で複数のパラメータを順次配列したもの採用する。また、信号ＳＩＤのパラメータの長さは、２０桁であり、パラメータの種類としては、セキュリティ番号またはＳＩＤアプリケーション番号が含まれる。
【００２８】
また、本実施例では、ＳＩＤアプリケーションを指定する情報には、その先頭に「＊」が付加され、認証用の情報、すなわち、セキュリティ番号には、「＊」が付加されない。したがって、信号ＳＩＤのパラメータを切り出したとき、「＊」が先頭に付加されているパラメータは、ＳＩＤアプリケーションを指定する情報であると認識でき、「＊」が先頭に付加されていないパラメータは、認証法の情報であると認識することができる。
【００２９】
したがって、伝送前手順処理において、信号ＳＵＢを受信せず（あるいは、信号ＳＵＢのパラメータが空欄であり）、信号ＳＩＤを受信し、信号ＳＩＤのパラメータの値が「＊０１＃＊０２＃＊０３」であった場合には、ボックス番号の指定がないため、ボックス管理情報＃１が適用され、この場合は、「スムージングオフ、書込濃度薄く、ＴＳＩ印字オン」が指定されたものと認識され、受信画情報は、その指定された内容で記録出力される。
【００３０】
また、信号ＳＵＢのパラメータが「１２３４」で、信号ＳＩＤのパラメータの値が、「＊６４＃＊３３」である場合には、ボックス番号として「１２３４」の親展ボックスが指定されるとともに、ＳＩＤアプリケーションとして「スムージングオフ、書込濃度薄く」が指定されたものと認識される。したがって、この場合には、受信文書は、ボックス番号１２３４の受信ボックスに保存され、その受信文書を記録出力するときには、「スムージングオフ、書込濃度薄く」の状態で記録出力される。
【００３１】
また、信号ＳＵＢのパラメータが「２３４５」で、信号ＳＩＤのパラメータの値が、「９８７６＃＊１２３４」である場合には、ボックス番号として「２３４５」の親展ボックスが指定されるとともに、セキュリティ番号「９８７６」を適用して認証が行われ、さらに、ＳＩＤアプリケーションとして「スムージングオフ」が指定されたものと認識される。したがって、この場合には、認証がＯＫの場合のみ受信動作が継続され、受信文書は、ボックス番号２３４５の受信ボックスに保存され、その受信文書を記録出力するときには、「スムージングオフ」の状態で記録出力される。
【００３２】
また、信号ＳＵＢのパラメータが「３４５６」で、信号ＳＩＤのパラメータの値が、「＊７２３＃＊４４４」である場合には、ボックス番号として「２３５６」が指定されるとともに、ＳＩＤアプリケーションとして「スムージングオフ、ＴＳＩ印字オン」が指定されたものと認識される。したがって、この場合には、受信文書は、ボックス番号３４５６の受信ボックスに保存され、その受信文書を記録出力するときには、「スムージングオフ、ＴＩＳ印字オン」の状態で、ソータ１へ仕分けられて記録出力される。
【００３３】
このようにして、本実施例では、送信側のユーザが、受信文書の処理の方法を、複数の態様を組み合わせて任意に指定することができるので、使い勝手のよいファクシミリ通信が可能となる。
【００３４】
図３は、このグループ３ファクシミリ装置が着信検出した場合の処理の一例を示す。
【００３５】
着信検出すると、着信応答し（処理１０１）、所定のグループ３ファクシミリ伝送手順の伝送前手順処理を行い（処理１０２）、信号ＳＵＢおよび信号ＳＩＤを受信したかどうかを調べる（判断１０３）。
【００３６】
判断１０３の結果がＮＯになるときには、通常の受信処理を行う（処理１０４）。
【００３７】
判断１０３の結果がＹＥＳになるときには、信号ＳＩＤのパラメータを分割し（処理１０５）、ボックス管理テーブルから、信号ＳＵＢで指定されたボックス番号に対応したボックス管理情報を取得し（処理１０６）、セキュリティ番号が含まれているかどうかを調べる（判断１０７）。
【００３８】
判断１０７の結果がＹＥＳになるときには、処理１０５で分割した信号ＳＩＤのパラメータに基づいて、所定の認証を行い（処理１０８）、その認証結果がＯＫであるかどうかを調べる（判断１０９）。
【００３９】
判断１０９の結果がＮＯになるときには、認証エラーなので、その時点で回線を切断して（処理１１０）、このときの受信動作をエラー終了する。
【００４０】
また、判断１０９の結果がＹＥＳになるとき、および、判断１０７の結果がＮＯになるときには、処理１０５で分割した信号ＳＩＤのパラメータに基づいて、ボックスアプリケーションおよびＳＩＤアプリケーションを認識し（処理１１１）、画情報受信動作を行い、受信した画情報を指定された受信ボックスへ保存する（処理１１２）。
【００４１】
次いで、処理１１１で認識されたボックスアプリケーションおよびＳＩＤアプリケーションを適用した状態で、処理１１２で受信ボックスに保存した画情報を処理して（処理１１３）、このときの動作を終了する。
【００４２】
なお、上述した実施例では、グループ３ファクシミリ装置に本発明を適用した場合について説明したが、本発明は、グループ３ファクシミリ通信機能を備えた他の通信装置あるいは複合機等にも同様にして適用することができる。
【００４３】
【発明の効果】
以上説明したように、本発明によれば、伝送手順信号に含まれる指示情報を抽出し、その指示情報に対応して、受信ボックスに設定される付加情報を取り出し、その取り出した付加情報に対応したサービス機能を、受信情報に対して適用するので、送信側のユーザが、受信文書の処理の方法を、複数の態様を組み合わせて任意に指定することができるので、使い勝手のよいファクシミリ通信が可能となるという効果を得る。
【図面の簡単な説明】
【図１】本発明の一実施例にかかるグループ３ファクシミリ装置を示したブロック図。
【図２】ボックス管理テーブルおよびボックス管理情報の一例を示した概略図。
【図３】グループ３ファクシミリ装置が着信検出した場合の処理の一例を示したフローチャート。
【符号の説明】
１  システム制御部
２  システムメモリ
３  パラメータメモリ
９  画像蓄積装置
【図１】
2004179885.tif 000003
【図２】
2004179885.tif 000004
【図３】
2004179885.tif 000005